(57)【要約】【課題】  既存の検索プログラムによって得た検索結果の一覧表示を見た後、計測データ観測プログラムを使って所望の計測データを表示するまでの過程の作業性を向上させる。【解決手段】  検索結果表示プログラム８の検索結果を表示するファイルビューアのウィンドウの一覧表示欄３４には、例えば３個のファイルが表示され、一番上のファイルと真ん中のファイルは同じであるが、一番上ではマークコメントが「異常１」であり、真ん中のものはマークコメントが「異常２」である。一番上のファイルを選択してダブルクリックすると、波形観測プログラムが起動し、マークコメント「異常１」の部分が中央となるように位置決めされた状態で波形表示ビューが開かれる。また、真ん中のファイルを選択してダブルクリックすると、マークコメント「異常２」の部分が中央となるように位置決めされた状態で波形表示ビュー３５が開かれる。【選択図】      図６
2005050093.tif 000002
【特許請求の範囲】
【請求項１】
計測器により収集した計測データを検索プログラムにより検索して、その検索結果を表示するための検索結果表示プログラムであって、
前記検索プログラムにより検索した結果を一覧表示するビューウィンドウを表示する機能と、
該ビューウィンドウに表示された検索結果の一覧から所望の検索結果を選択して、該検索結果を開くための操作を行うことにより、該検索結果の内容を表示するためのデータ観測プログラムにより選択した検索結果を開く機能とを実現させるための検索結果表示プログラム。
【請求項２】
前記計測データが前記データ観測プログラムによる表示位置を特定する情報を含むときに、該表示位置特定情報を前記ビューウィンドウの表示項目に含めることができる、請求項１に記載の検索結果表示プログラム。
【請求項３】
前記計測データの中に表示位置特定情報を複数含むときに、個々の表示位置特定情報毎に階層化した状態で表示結果を表示する、請求項２に記載の検索結果表示プログラム。
【請求項４】
前記表示位置特定情報を含む計測データを選択して、データ観測プログラムにより計測データを開いたときに、該データ観測プログラムの機能により当該表示位置特定情報が中央となるように位置決めされた状態で計測データの内容が表示される、請求項３に記載の検索結果表示プログラム。
【請求項５】
前記計測データの中に表示位置特定情報が複数含まれるときに、表示位置移動ダイアログを表示する機能を更に実行させる、請求項３又は４に記載の検索結果表示プログラム。
【請求項６】
前記ビューウィンドウに又は該ビューウィンドウとは別のウィンドウで、前記計測データの詳細を表示する機能を更に実行させる、請求項１に記載の検索結果表示プログラム。
【発明の詳細な説明】
【技術分野】
【０００１】
この発明は、例えば温度や圧力などを計測する計測器に関する技術分野に関し、特に、計測器が蓄積した計測データを既存の検索プログラムにより検索した後の処理に便宜性を付与することのできる検索結果表示プログラムに関する。
【背景技術】
【０００２】
様々な計測データを取り込むために特許文献１に記載のような計測器が用いられるが、この種の計測器にあっては、蓄積した計測データを検索するのに、特許文献２に記載のような検索プログラムが用いられる。
【０００３】
既存の検索プログラムでは、指定された条件で検索した結果を一覧の形式で表示するようになっており、一覧表示されたファイルの詳細を知るには、検索プログラムとは無関係の操作により計測データを表示するためのプログラム（例えば波形観測プログラム）を起動させる必要があった。すなわち、計測データファイルの検索から計測データの表示までの一連の手順は図１３に示すとおりであり、検索プログラムを使って検索条件を設定して、計測データファイルから指定した条件で検索を実行し、その検索結果を一覧表示し、ユーザは、該当しそうなファイルを計測データ観測プログラムを使って開いて、その内容を確認するという作業を行っていた。
【０００４】
【特許文献１】特開平４−１４９２３号公報
【特許文献２】特開２００２−７１３９０号公報
【発明の開示】
【発明が解決しようとする課題】
【０００５】
既存の検索プログラムでは、検索結果を一覧表示するようになっているため、検索条件を満たす計測データファイルが膨大な数になると、一覧表示された大量の計測データファイルの中から目的とするファイルが探し出すのが難しくなる。
【０００６】
このため、既存の検索プログラムでは、一覧表示されている検索結果の中から該当しそうなファイルを計測データ観測プログラムで開いて確認し、もし表示された計測データが目的とするものでないときには、再度、検索プログラムで表示されている検索結果の一覧から該当しそうなファイルを見つけ出して、これを計測データ観測プログラムで開いて確認するという作業を反復的に行わざるを得ないものであった。
【０００７】
そこで、本発明の目的は、既存の検索プログラムによって得た検索結果の一覧表示を見た後、計測データ観測プログラムを使って所望の計測データを表示するまでの過程の作業性を向上させることのできる検索結果表示プログラムを提供することにある。
【０００８】
本発明の更なる目的は、既存の検索プログラムによって得た検索結果の一覧表示の中から所望のファイルを探し出すための作業性を向上させることのできる検索結果表示プログラムを提供することにある。
【０００９】
本発明の更なる目的は、既存の検索プログラムによって得た検索結果の一覧表示の中から所望のファイルを探し出すための検索効率を向上させると共に所望の計測データを直接的に計測データ観測プログラムを使って表示させることのできる検索結果表示プログラムを提供することにある。
【課題を解決するための手段】
【００１０】
かかる技術的課題は、本発明によれば、
計測器により収集した計測データを検索プログラムにより検索して、その検索結果を表示するための検索結果表示プログラムであって、
前記検索プログラムにより検索した結果を一覧表示するビューウィンドウを表示する機能と、
該ビューウィンドウに表示された検索結果の一覧から所望の検索結果を選択して、該検索結果を開くための操作を行うことにより、該検索結果の内容を表示するためのデータ観測プログラムにより選択した検索結果を開く機能とを実現させるための検索結果表示プログラムを提供することにより達成される。
【００１１】
本発明の好ましい実施の形態によれば、前記計測データが前記データ観測プログラムによる表示位置を特定する情報を含むときに、該表示位置特定情報を前記ビューウィンドウの表示項目に含めることができる。これにより、データ観測プログラムで計測データの内容を表示させると、表示位置特定情報が中央となる状態で位置決めされた状態で表示させることができる。
【００１２】
前記計測データの中に表示位置特定情報を複数含むときに、個々の表示位置特定情報毎に階層化した状態で表示結果を表示するのが好ましい。これによれば、表示された個々の表示位置特定情報を選択してデータ観測プログラムで開くことにより、所望の部分の確認を直接的に行うことができる。
【００１３】
本発明の上記目的及び他の目的並びにその作用効果は、以下の本発明の好ましい実施例の詳しい説明から明らかになろう。
【発明を実施するための最良の形態】
【００１４】
図１は、計測システムの全体概要を示す図である。計測システム１は、コンピュータ２（典型的にはパーソナルコンピュータ（ＰＣ））と接続することで構築される。計測システム１はＰＣ接続ユニット３を含み、このＰＣ接続ユニット３に増設する形式で、単数又は複数の所望の計測ユニット４、例えば温度計測ユニット、電圧値計測ユニットが組み付けられる。図１は、ＰＣ接続ユニット３に温度計測ユニット４を増設した例を図示している。ＰＣ２とＰＣ接続ユニット３とはＵＳＢポート５を介して接続される。
【００１５】
計測システム１で収集された測定データは、ＰＣ接続ユニット３からＰＣ２に転送され、ＰＣ２内のハードディスクなどの記憶手段（図示せず）に保存される。計測システム１で収集した測定データは、例えばＦＤのような記憶媒体を介してＰＣ２に供給するようにしてもよい。
【００１６】
ＰＣ２には、図２に示すように、計測データファイルを検索するための既存の検索プログラム６及び計測データを表示する計測データ観測プログラム（例えば波形観測プログラム）７がインストールされており、また、実施例の検索結果表示プログラム（ファイルビューア）８がインストールされている。
【００１７】
検索結果表示プログラム８は、既存の検索プログラム６にビルトインされて検索機能を増強すると共に、検索結果の表示に関してユーザの利便性を高め、また、検索結果の表示の中から所望のファイルを選択するだけで、この選択された計測データファイルの内容を表示する計測データ観測プログラム７を起動させる機能を実現させる。
【００１８】
図３は、ファイルビューア８の機能の概要を示すものである。すなわち、実施例のファイルビューア８によれば、計測データ観測プログラムから独立して以下のことができる。
(1)計測データファイルの中に付与されている各種情報、例えば計測データを収集した計測システム、計測日時、計測データに書き込まれたコメントなどを指定して検索することができる。
【００１９】
(2)検索結果の表示は、ユーザの選択により、指定可能な全項目の内容を表示する、指定した検索条件の項目だけを表示するなどの表示を行うことができる。
【００２０】
(3)検索結果を元に再度の検索を行うことができる。
【００２１】
(4)表示された検索結果から所望のファイルを選択して、例えばダブルクリックや右クリックメニューの開くを選択するなどの当該ファイルの内容を開くための操作を行うことで、この計測データファイルの内容を表示する計測データ観測プログラム７を起動させることができる。
【００２２】
(5)表示された検索結果の処理、例えばファイルコピーや他のフォルダへの移動などの整理や変換を行うことができる。
【００２３】
一覧表示で表示する項目は、ファイル名の他に次のとおりである。
〔1〕ファイルのサイズ
〔2〕ファイルの種類
〔3〕更新日時          ：最後に更新された日時
〔4〕機器名            ：ユーザによって登録された機器名
〔5〕タイトル          ：ユーザによって登録されたタイトル
〔6〕コメント          ：ユーザによって登録されたコメント
〔7〕収集モード        ：ノーマル又はロギング
〔8〕計測ユニットの構成：接続された計測ユニットの構成
〔9〕サンプリング周期  ：設定されたシステムサンプリング周期
〔10〕サンプリング数    ：設定されたサンプリング数
〔11〕データ収集開始日時：収集を開始した日時
〔12〕先頭データ日時    ：先頭データを取得した日時
〔13〕データ収集終了日時：収集が完了した日時
〔14〕アラーム回数      ：アラームの発生回数
〔15〕マークコメント数  ：ユーザによって登録されたマークに対するコメントの数
【００２４】
検索条件の設定は、例えば、図４の検索条件設定ダイアログをＰＣ画面に呼び出すことによって行うことができる。検索条件設定ダイアログ１０のフォームは任意であるが、図示のダイアログ１０では、ファイル名のチェックボックス１１をクリックすることにより、ファイル名ボックス１２を使ってファイル名を指定して、このファイル名で検索することができる。
【００２５】
また、図示の検索条件設定ダイアログ１０は、第２のチェックボックス１３と、これに隣接した機器名指定ボックス１４を有し、第２のチェックボックス１３を有効にし、機器名指定ボックス１４を使って機器名を指定することで、機器名で検索することができる。
【００２６】
また、図示の検索条件設定ダイアログ１０は、第３のチェックボックス１５をクリックすることにより、収集開始日時、収集終了日時、先頭データの日時を選択することができ、また、これに隣接した日時指定ボックス１６、１７を使って開始日時と終了日時を指定して検索する機能を実行させることができる。
【００２７】
図示の検索条件設定ダイアログ１０は、更に、アラーム発生回数チェックボックス１８、コメントチェックボックス１９を有し、これらをクリックすることにより、アラーム発生回数の範囲及びコメントを指定して検索することができ、また、コメントはマークコメントのチェックボックス２０をクリックすることで、マークコメントを含めて検索することができる。最も下の部分には検索対象フォルダを指定するためのフォルダ指定ボックス２１を有し、チェックボックス２２を有効にすることでサブフォルダを含めて検索する機能を実行させることができる。
【００２８】
以上の検索条件に関し、複数の条件で検索を実行するときには、検索条件の「ＡＮＤ」２２又は「ＯＲ」２３を択一的に指定することにより、ＡＮＤ条件又はＯＲ条件で検索を実行させることができる。
【００２９】
すなわち、(1)ファイル名での検索、(2)機器名での検索、(3)ユーザが登録したタイトル、コメントでの検索（マークコメントを含めるか否かを選択することができる）、(4)日時での検索（データ収集開始、データ先頭、収集終了から選択可能）、(5)アラーム発生回数（上限、下限を設定可能）、(6)検索をＡＮＤ条件又はＯＲ条件で実行するかの指定、(7)検索する場所の指定（フォルダで指定するが、サブフォルダ内も検索するか否かは選択可能）を行うことで、検索を実行させることができる。
【００３０】
図５は、検索結果を表示するファイルビューアのウィンドウを示す。ファイルビューアのウィンドウ３０は、上段と下段の２段の表示欄を有し、上段表示欄３１は、左の表示枠３２と右の表示枠３３とに２つに区分されている。左の表示枠３２は、ＰＣ２内に保存されているフォルダの一覧が階層化した状態で表示されるフォルダ表示のための表示枠であり、図示の例では「計測データフォルダ」に格納されている計測データファイルの一覧が右のファイル表示枠３３に表示されている。
【００３１】
検索結果は、下段の表示欄３４に一覧表示される。図示の例では、予め設定された表示項目として、ファイル名、アラーム回数、収集開始日時、データサイズ、ファイルの種類に関する情報が表示される。
【００３２】
下段の一覧表示欄３４に表示の例では、「アラーム回数」と「収集開始日時」とをＯＲ条件で検索した結果３つのファイルがヒットしたことを示している。すなわち、ヒットした３つのファイルを一覧表示し、その下に「３個検索されました」の文字が表示されて発見されたファイルの個数が表示され、更にその下に検索条件が、例えば「アラーム回数：３回以上５回以下」「収集開始日時（２００３年１月１日〜２００３年３月２４日）」のＯＲ条件であったことが表示するようになっている。
【００３３】
一覧表示欄３４の表示項目は、上述した表示項目〔1〕〜〔15〕を全て表示させることができ、また、その一部を表示設定することもできる。ＰＣ２のＬＣＤやＣＲＴの画面の大きさにより、設定した表示項目の全てを表示できないときには、横スクロール機能を用意すればよい。
【００３４】
一覧表示欄３４に表示された検索結果の一覧から所望のファイルを選択し、例えばダブルクリックすることにより計測データ観測プログラム７を起動させる機能を有し、これにより、選択したファイルの内容を直ちに計測データ観測プログラム７により表示させることができる。
【００３５】
関連した計測データ観測プログラム７、例えば波形観測プログラムは、マーク位置、アラーム発生時間へのジャンプ機能を備え、また、一般的にファイルの保存時の波形表示ビュー（横軸に時間、縦軸にデータをとったグラフ形式の表示）で表示する機能を備えているが、ファイル保存時に波形表示ビューが開かれなかった場合には、一般的には波形表示ビューを開いた後に表示位置の調整を行うことになり、次回に開いたときには、調整後の波形表示ビューが初期画面となる。また、波形観測プログラムは、表示位置を決定する項目、例えばマークコメントやアラームコメントを指定したときには、指定されたマークコメントやアラームの部分が中央となるように位置決めされた状態で波形表示ビューを開く機能を有する。
【００３６】
図６は、一覧表示欄３４の表示項目として「アラーム回数」「収集開始日時」「マークコメント」の３つの項目を設定した場合の表示例を示す。
【００３７】
図６の一覧表示欄３４には３個のファイルが表示されているが、一番上のファイルと真ん中のファイルは同じであるが、一番上のファイルではマークコメントが「異常１」であり、真ん中のファイルではマークコメントが「異常２」である。もちろん、このファイルの計測データに「異常１」〜「異常４」が付与されていれば、マークコメントが異なる同一のファイルが４つ表示される。
【００３８】
ユーザが一番上のファイルを選択してダブルクリックすると、波形観測プログラムが起動し、マークコメント「異常１」の部分が中央となるように位置決めされた状態で波形表示ビューが開かれる。また、真ん中のファイルを選択してダブルクリックすると、マークコメント「異常２」の部分が中央となるように位置決めされた状態で波形表示ビュー３５が開かれる。ユーザは、表示された波形表示ビュー３５によってファイルの内容を確認することになるが、必要であれば波形の表示位置を調整すればよい。
【００３９】
上述した処理は、検索結果表示プログラムつまりファイルビューアソフトから波形観測プログラムを起動させる機能に基づいて説明したが、波形観測プログラムが既に起動しているときには、一覧表示されている一以上の検索結果を選択して、これを波形観測プログラムの上にドラッグアンドドロップすることでファイルを開く機能を有する。
【００４０】
図７の例では、一覧表示されている検索結果のうち一番上のファイル及び真ん中のファイルは同一ファイルであるが、先に説明したようにマークコメントが「異常１」と「異常２」で異なる。例えば、「異常１」のファイル（一番上に表示のファイル）を選択して、これを観測プログラムの上にドラッグアンドドロップすることで、異常１のマークコメントを中央に位置決めした状態で波形が表示されることになる。また、「異常１」と「異常２」の２つのファイル（一番上とその下に表示の２つのファイル）を選択して、これを観測プログラムの上にドラッグアンドドロップすることで、異常１のマークコメントを中央に位置決めした状態の波形を表示したウィンドウと、異常２のマークコメントを中央に位置決めした状態の波形を表示したウィンドウとを重畳表示させることができる。
【００４１】
マークコメントやアラームのように波形観測プログラムで表示位置を決定する項目に関し、上述の例で説明すれば、「異常１」のファイルを選択してダブルクリックすることにより波形観測プログラムを起動させてファイルを開いたとき、又は、既に波形観測プログラムが起動しているときには「異常１」のファイルをドラッグアンドドロップすることにより開いたときに、図８に示す表示位置移動ダイアログ４０を表示する機能を付加してもよい。
【００４２】
図８に図示の表示位置移動ダイアログ４０は移動ボタン４１を有し、この移動ボタン４１を押し下げることにより、波形観測プログラムの波形表示ビューが、マークコメント「異常１」の部分が中央となるように位置決めされた状態から次のマークコメントである「異常２」の部分が中央となるように位置決めされた状態で表示させることができ、再度、移動ボタン４１を押し下げると次の「異常３」の部分が中央となるように位置決めされた状態で表示させることができる。（マークコメントが異常１と異常２の２つの場合には、「異常１」の部分が中央となるように位置決めされた状態の表示に戻る。）
【００４３】
なお、上述した実施例では、検索結果一覧からファイルを選択した後にダブルクリックすることで波形観測プログラムを起動させてファイルを開くようにしたが、例えば、検索結果一覧からファイルを選択した後にマウスを右クリックすることでメニューを表示させ、このメニューの中に付加した「ファイルを開く」という項目をクリックすることで波形観測プログラムを起動させてファイルを開くようにしてもよい。
【００４４】
検索結果表示プログラムによる検索結果の一覧表示に関し、アラーム回数などの表示項目による検索結果のソート機能を有するのが好ましく、ソート機能を実行させたときに、条件に適合しないファイルは最後尾に表示するようにするのが好ましい。
【００４５】
検索結果表示プログラムによる検索結果の表示ウィンドウに関し、例えば、先に説明した一覧表示欄３４を左右２つに区分し（図９）、左の枠４２に、検索結果の一覧を表示し、右の枠４３に、選択されたファイルに含まれる情報の詳細を表示するようにしてもよい。
【００４６】
これによれば、一覧表示枠４２には、予め設定した幾つかの項目（図示の例では、「アラーム回数」「収集開始日時」）を表示させ、これを見たユーザは、該当しそうなファイルを選択することで、他の項目を詳細情報表示枠４３に表示させて確認することができるため、従来のように、該当しそうなファイルを波形観測プログラムで開いて確認するという手間を省くことができる。
【００４７】
変形例として、詳細情報表示枠４３を備えた一覧表示ウィンドウの代わりに、検索結果一覧からファイルを選択したときに、図１０に示すように、詳細情報表示ウィンドウ４５を一覧表示ウィンドウ４６から切り離して表示するようにしてもよい。図１０の下に図示のウィンドウは、縦スクロールさせた後の表示を示している。
【００４８】
なお、独立詳細表示ウィンドウ４５及び／又は詳細情報表示枠４３内の表示に関し、マークコメントやアラームのように波形観測プログラムで表示位置を決定する項目に関しては、図１０の下に図示したウィンドウ４５に例示するように、「異常１」「異常２」「異常３」のように階層構造で表示するのがよい。これにより、ユーザはファイルを開くことなく、ファイルの中の情報を確認することができるだけなく、例えば「異常３」を選択してダブルクリックすることで、波形観測プログラムが起動し、直接的に、異常３の部分を中央にした状態で波形観測ビューを開くことができる。
【００４９】
検索結果表示プログラム（ファイルビューア）は他の機能として次の機能を有するのが好ましい。
【００５０】
(1)フォルダ移動機能
一覧表示欄３４に表示された検索結果の一覧からファイルを選択すると、その選択されたファイルを含むフォルダをフォルダ一覧表示欄３２内の目視可能な位置に表示すると共に、その選択されたファイルを含むフォルダ内のファイルの全てをファイル一覧表示欄３３に表示することができる。
【００５１】
このことにより、例えば波形観測ソフトでデータ収集を行いながら、複数の収集データのファイルを保存する際、保存先を同一フォルダ内とすれば、後日、上述の検索によって特定のファイルを抽出し選択した場合、同時期に収集したファイルも容易に発見することができることになる。なお、その選択されたファイルを含むフォルダ内のファイルの全てをファイル一覧表示欄３３に表示する場合は、その中で選択されたファイルの特定を容易にするために、選択されたファイルをファイル一覧表示欄３３内のトップの欄に表示したり、又はファイルそのものの位置を、選択されていないファイルと識別可能な色をつけてもよい。
【００５２】
(2)ファイルのコピー機能
一覧表示欄３４に表示された検索結果の一覧のファイルを他の任意のフォルダにコピーする機能を付加することで、例えば何月何日に収集したデータを一つのフォルダにまとめることができる。
【００５３】
(3)ファイルの消去機能
一覧表示欄３４に表示された検索結果の一覧のファイルをマウス及びキーボードのいずれかを操作することで消去する機能を付加することで、目的のファイル以外の表示を除去して一覧表示欄３４の視認性を向上させることができる。検索した結果、大量のファイルがヒットしたときに、このファイル消去機能は利便性がある。ここに言うファイル消去機能は、一覧表示欄３４の表示に関するものであり、検索されたファイルをＰＣ２から消去するものではない。
【００５４】
(4)検索結果に対する再検索機能
一覧表示欄３４に表示された検索結果の一覧を再検索して絞り込むことができるように、「〜を除く」という条件で再検索できる機能を付加するのが好ましい。大量のファイルが検索結果として一覧表示欄３４に表示されたときに、この「〜を除く」という条件での再検索機能は効果的である。
【００５５】
「〜を除く」という条件の検索機能は、図４を参照して説明したダイアログに検索条件として、例えば、ボックスに書き込んだ検索文字列を「含む」「含まない」の選択ができるようにしてもよい。例えば、コメントに「テスト」という文字列が含まれないファイルだけを抽出するのに、この「〜を除く」という条件の検索機能は効果的であり、この機能は検索条件設定ダイアログを使って指定できるようにするのが好ましい。
【００５６】
図１１、図１２は、ファイルビューアプログラムの機能を動作させる手順の一例を示すフローチャートである。
【００５７】
図１１において、ステップＳ１で、検索条件設定ダイアログ１０（図４）により検索条件を設定して、検索プログラム６により計測データの検索を実行させて検索が終わると、ステップＳ２でファイルビューアウィンドウ３０が表示され、検索結果の表示が行われる。
【００５８】
波形観測プログラム７が既に起動しているときには、ファイルビューアウィンドウ３０に表示のファイルから所望のファイルを選択してドラッグアンドドロップによりファイルの内容を表示させることができる（ステップＳ３）。
【００５９】
また、ファイルビューアウィンドウ３０に表示のファイルから所望のファイルを選択してダブルクリックすることにより（ステップＳ４）又は所望のファイルを選択して右クリックメニューから開くを選択することにより（ステップＳ５）、波形観測プログラム７が起動されていないときには、波形観測プログラム７が起動して（ステップＳ６、Ｓ７）、選択されたファイルの内容が開かれて（ステップＳ８）、次のステップＳ９に進む。
【００６０】
当該選択されたファイルに表示位置を特定する、例えばアラームコメントやマークコメントが含まれているときには、ステップＳ９からステップＳ１０に進み、この表示位置を特定する情報が複数存在しているか否かによって、この情報が複数存在しているときにはステップＳ１１に進んで、表示位置移動ダイアログ４０（図８）を起動させ、この表示位置移動ダイアログ４０の移動ボタン４１を押し下げることにより、表示位置を調節する（ステップＳ１２）。
【図面の簡単な説明】
【００６１】
【図１】実施例の計測システムの全体概要を示す図である。
【図２】図１の計測システムに含まれるパーソナルコンピュータにインストールした各種プログラムを説明するための図である。
【図３】実施例の検索結果表示プログラムが実行する各種機能を概要を説明するための図である。
【図４】実施例の検索結果表示プログラムの一つの機能をとして検索プログラムの検索条件設定を設定するためのウィンドウを示す図である。
【図５】実施例の検索結果表示プログラムのビューウィンドウの一例を示す図である。
【図６】検索結果表示プログラムのビューウィンドウから直接的に計測データ観測プログラムを起動させて、選択されたファイルを開く動作を説明するための図である。
【図７】検索結果表示プログラムのビューウィンドウからドラッグアンドドロップ操作により、既に起動している計測データ観測プログラムによって、選択されたファイルを開く動作を説明するための図である。
【図８】検索結果表示プログラムの一つの機能として、選択されたファイルの中に、計測データ観測プログラムによる表示位置を特定する項目が複数存在するときに、表示位置移動ダイアログを表示して、この表示位置ダイアログによりファイルの表示位置を調整できることを説明するための図である。
【図９】検索結果表示プログラムのビューウィンドウで、ファイルに含まれる情報の詳細を表示する表示モードの一例を説明するための図である。
【図１０】図９の表示モードの変形例として、詳細表示ウィンドウを独立して表示する表示モードを説明するための図である。
【図１１】実施例の操作及び動作フローを説明するためのフローチャートである。
【図１２】図１１のフローに続く、実施例の操作及び動作フローを説明するためのフローチャートである。
【図１３】従来の検索方法に関連した一連のフローを説明するための図である。
【符号の説明】
【００６２】
１      計測システム
２      ＰＣ（パーソナルコンピュータ）
６      検索プログラム
７      計測データ観測プログラム
８      検索結果表示プログラム（ファイルビューソフト）
３０      検索結果表示プログラムのファイルビュー
３４      検索結果一覧表示欄
３５      波形表示ビュー
４０      表示位置移動ダイアログ
４２      項目詳細表示枠
４５      項目詳細表示ウィンドウ
【図１】
2005050093.tif 000003
【図２】
2005050093.tif 000004
【図３】
2005050093.tif 000005
【図４】
2005050093.tif 000006
【図５】
2005050093.tif 000007
【図６】
2005050093.tif 000008
【図７】
2005050093.tif 000009
【図８】
2005050093.tif 000010
【図９】
2005050093.tif 000011
【図１０】
2005050093.tif 000012
【図１１】
2005050093.tif 000013
【図１２】
2005050093.tif 000014
【図１３】
2005050093.tif 000015